(57)【要約】【課題】印刷後の用紙（印刷物）の束をまとめて、短時間で均一にシーズニングすることができるシーズニング装置及び方法並びに印刷システムを提供する。【解決手段】本発明のシーズニング装置(10)は、少なくとも用紙(12)の片面にインクが付与された複数枚の印刷物に曲率を与えるとともに、その曲率に応じた曲線を成す用紙の一辺を下端として当該印刷物を縦置き状態の姿勢で保持する用紙保持手段(14)と、用紙保持手段(14)によって縦置き状態の姿勢で保持された印刷物の束の端面から風を送る送風手段(18)と、を備える。用紙に曲率を与えることで用紙の姿勢を安定的に維持し、縦置き状態の用紙間に適度な隙間を確保して紙面全体に風を送る。【選択図】図１
2011020808.tif 000002
【特許請求の範囲】
【請求項１】
少なくとも用紙の片面にインクが付与された複数枚の印刷物に曲率を与えるとともに、その曲率に応じた曲線を成す用紙の一辺を下端として当該印刷物を縦置き状態の姿勢で保持する用紙保持手段と、
前記用紙保持手段によって前記縦置き状態の姿勢で保持された前記印刷物の束の端面から風を送る送風手段と、
を備えたことを特徴とする印刷物のシーズニング装置。
【請求項２】
請求項１に記載の印刷物のシーズニング装置において、
前記送風手段は、前記用紙保持手段の下方に設けられ、前記印刷物の束の下端側から送風することを特徴とする印刷物のシーズニング装置。
【請求項３】
請求項１又は２に記載の印刷物のシーズニング装置において、
前記送風手段として、
前記用紙保持手段の下方に設けられ、前記印刷物の束の下端側から上に向けて送風する第１の送風手段と、
前記用紙保持手段の上方に設けられ、前記印刷物の束の上端側から下に向けて送風する第２の送風手段と、
を備えることを特徴とする印刷物のシーズニング装置。
【請求項４】
請求項１乃至３のいずれか１項に記載の印刷物のシーズニング装置において、
前記用紙保持手段は、前記複数枚の印刷物に曲率を与え、前記縦置き状態の用紙姿勢を規制する第１壁面を構成する第１壁面部材と、
前記第１壁面と対向する第２壁面を構成する第２壁面部材と、を備え、
前記第１壁面と前記第２壁面との間に形成される空間に前記印刷物の束を保持する構造であることを特徴とする印刷物のシーズニング装置。
【請求項５】
請求項４に記載の印刷物のシーズニング装置において、
前記第１壁面を上に向けた状態から前記第１壁面を起立させた状態に前記第１壁面部材を移動させる可動機構を備えたことを特徴とする印刷物のシーズニング装置。
【請求項６】
請求項５に記載の印刷物のシーズニング装置において、
前記第１壁面を上に向けた状態で当該第１壁面部材の前記第１壁面上に前記印刷物の束が載置された後、前記送風手段から風を送りながら、前記可動機構を駆動して前記第１壁面を起立させる動作を行うように前記送風手段及び前記可動機構の駆動手段を制御する制御手段を備えたことを特徴とする印刷物のシーズニング装置。
【請求項７】
請求項１乃至６のいずれか１項に記載の印刷物のシーズニング装置において、
前記印刷物はインクジェット記録装置により印刷をおこなった印刷物であることを特徴とする印刷物のシーズニング装置。
【請求項８】
請求項１乃至７のいずれか１項に記載の印刷物のシーズニング装置において、
前記インクは、水を溶媒として含むインクであることを特徴とする印刷物のシーズニング装置。
【請求項９】
請求項８に記載の印刷物のシーズニング装置において、
前記インクは、熱可塑性樹脂と色材とを含んだインクであることを特徴とする印刷物のシーズニング装置。
【請求項１０】
請求項８に記載の印刷物のシーズニング装置において、
前記インクは、活性光線硬化性樹脂と色材とを含んだインクであることを特徴とする印刷物のシーズニング装置。
【請求項１１】
給紙される用紙の少なくとも片面にインクを付与して印刷を行う印刷装置と、
請求項１乃至１０のいずれか１項に記載の印刷物のシーズニング装置と、を備えた印刷システムであって、
前記印刷装置によって印刷された複数枚の印刷物が前記シーズニング装置の前記用紙保持部に保持され、当該印刷物の束が前記シーズニング装置によりシーズニングされることを特徴とする印刷システム。
【請求項１２】
少なくとも用紙の片面にインクが付与された複数枚の印刷物に曲率を与えるとともに、その曲率に応じた曲線を成す用紙の一辺を下端として当該印刷物を縦置き状態の姿勢で保持し、
前記縦置き状態の姿勢で保持された前記印刷物の束の端面から風を当て、用紙間にエアを供給することによりシーズニングを行うことを特徴とする印刷物のシーズニング方法。
【発明の詳細な説明】
【技術分野】
【０００１】
本発明は印刷物のシーズニング装置及び方法並びに印刷システムに係り、特に、印刷後の用紙を短時間で環境温度及び環境湿度に近い状態に調整するシーズニング装置の構成及びシーズニング方法、並びにこれを適用した印刷システムに関する。
【背景技術】
【０００２】
印刷装置によってインクが付与された直後の用紙は、画像領域内でインクの濃淡（インク量の多寡）により水分量の差があることにより、用紙の伸縮が発生する。特に、水性インクを用いて汎用紙に印刷するシステムではこの問題が顕著である。更に、両面印刷を行う場合、通常は、片面（表面）の印刷完了後に、反対側の面（裏面）の印刷が行われるが、表面を印刷した直後の用紙では、用紙の伸縮が大きく、表面と裏面とでそれぞれ印刷される画像のサイズ、位置にズレが生じる（表裏レジが合わない）という問題が生じる。
【０００３】
また、両面印刷に限らず、片面印刷の場合にあっても、上記の用紙変形に起因するカールやカックルの発生により、印刷品位が低下するという問題があり、加えて、印刷工程後に行われる製本工程などの後加工に悪影響を及ぼすという問題もある。
【０００４】
特許文献１では、印刷後の紙変形（特にカール）を解消するために、調湿した空間に印刷後の用紙を一枚ずつ干してシーズニングさせる方法が記載されている。また、特許文献２では、印刷機内部で温湿度を制御することで、装置内紙変形を緩和する印刷システムが開示されている。
【先行技術文献】
【特許文献】
【０００５】
【特許文献１】特開平３−１４３８６１号公報
【特許文献２】特開２００２−１８７２５５号公報
【発明の概要】
【発明が解決しようとする課題】
【０００６】
しかしながら、特許文献１では、印刷済みの束になった用紙をまとめてシーズニングする方法は示されていない。一方、特許文献２は、用紙を堆積させる空間を温室度調整するのみであり、重ね置きされた用紙の一枚一枚について均等にシーズニングすることができず、シーズニングに要する時間も長い。
【０００７】
本発明はこのような事情に鑑みてなされたもので、印刷後の用紙（印刷物）の束をまとめて、短時間で均一にシーズニングすることができるシーズニング装置及び方法並びに印刷システムを提供することを目的とする。
【課題を解決するための手段】
【０００８】
前記目的を達成するために以下の発明態様を提供する。
【０００９】
（発明１）：発明１に係る印刷物のシーズニング装置は、少なくとも用紙の片面にインクが付与された複数枚の印刷物に曲率を与えるとともに、その曲率に応じた曲線を成す用紙の一辺を下端として当該印刷物を縦置き状態の姿勢で保持する用紙保持手段と、前記用紙保持手段によって前記縦置き状態の姿勢で保持された前記印刷物の束の端面から風を送る送風手段と、を備えたことを特徴とする。
【００１０】
本発明によれば、用紙に曲率を与えることで用紙の自重による変形が抑制され、用紙の縦置き姿勢を安定的に保つことができる。また、用紙を縦置きにすることで用紙間の隙間を確保し、用紙間に風を通すことができるため、印刷物の束を一括して短時間で均一にシーズニングすることができる。
【００１１】
送風手段は、周囲環境の空気をそのまま送風する形態（周囲環境の温湿度と同等のエアを送り出すもの）が好ましい。
【００１２】
（発明２）：発明２に係る印刷物のシーズニング装置は、発明１に記載の印刷物のシーズニング装置において、前記送風手段は、前記用紙保持手段の下方に設けられ、前記印刷物の束の下端側から送風することを特徴とする。
【００１３】
用紙保持手段に保持されている縦置き状態の印刷物の束に対して下から風を当てることにより、用紙の姿勢が崩れにくく、良好なシーズニングを実現できる。
【００１４】
（発明３）：発明３に係る印刷物のシーズニング装置は、発明１又は２に記載の印刷物のシーズニング装置において、前記送風手段として、前記用紙保持手段の下方に設けられ、前記印刷物の束の下端側から上に向けて送風する第１の送風手段と、前記用紙保持手段の上方に設けられ、前記印刷物の束の上端側から下に向けて送風する第２の送風手段と、を備えることを特徴とする。
【００１５】
用紙保持手段に保持されている縦置き状態の印刷物の束に対して下から風を当てるとともに、上からも風を当てることにより、更に効率的にシーズニングを行うことが可能である。
【００１６】
（発明４）：発明４に係る印刷物のシーズニング装置は、発明１乃至３のいずれか１項に記載の印刷物のシーズニング装置において、前記用紙保持手段は、前記複数枚の印刷物に曲率を与え、前記縦置き状態の用紙姿勢を規制する第１壁面を構成する第１壁面部材と、前記第１壁面と対向する第２壁面を構成する第２壁面部材と、を備え、前記第１壁面と前記第２壁面との間に形成される空間に前記印刷物の束を保持する構造であることを特徴とする。
【００１７】
第1壁面部材と第２壁面部材とで用紙の保持空間を規制することにより、用紙に曲率を与えつつ、用紙間の隙間を確保する態様が好ましい。
【００１８】
（発明５）：発明５に係る印刷物のシーズニング装置は、発明４に記載の印刷物のシーズニング装置において、前記第１壁面を上に向けた状態から前記第１壁面を起立させた状態に前記第１壁面部材を移動させる可動機構を備えたことを特徴とする。
【００１９】
かかる態様によれば、第1壁面を上に向けた状態で印刷物の束を用紙保持手段に容易にセットすることができるとともに、シーズニング後に印刷物を取り出す際の作業も容易である。また、本態様によれば、第1壁面部材を印刷物の積載台として兼用することも可能である。更に、本態様に係るシーズニング装置を印刷機の排紙部に採用することも可能である。
【００２０】
（発明６）：発明６に係る印刷物のシーズニング装置は、発明５に記載の印刷物のシーズニング装置において、前記第１壁面を上に向けた状態で当該第１壁面部材の前記第１壁面上に前記印刷物の束が載置された後、前記送風手段から風を送りながら、前記可動機構を駆動して前記第１壁面を起立させる動作を行うように前記送風手段及び前記可動機構の駆動手段を制御する制御手段を備えたことを特徴とする。
【００２１】
第１壁面を上に向けた状態で、当該第１壁面の上に印刷物を複数枚重ね置きした後、送風手段から風を当てながら第１壁面を起立させる動作を行うことにより、用紙の束の姿勢が崩れにくく、用紙間に適度な隙間を形成することができる。
【００２２】
（発明７）：発明７に係る印刷物のシーズニング装置は、発明１乃至６のいずれか１項に記載の印刷物のシーズニング装置において、前記印刷物はインクジェット記録装置により印刷を行った印刷物であることを特徴とする。
【００２３】
インクジェット記録された印刷物は、他の印刷方式による印刷物と比較して含水量が高く、用紙の変形による問題が顕著であることから、インクジェット記録装置で印刷された印刷物に対して本発明のシーズニング装置を用いてシーズニングを行うことが効果的である。
【００２４】
（発明８）：発明８に係る印刷物のシーズニング装置は、発明１乃至７のいずれか１項に記載の印刷物のシーズニング装置において、前記インクは、水を溶媒として含むインクであることを特徴とする。
【００２５】
水を溶媒として含むインクを用いて印刷された印刷物は、含水量が高くなる傾向にあるため、本発明のシーズニング装置によるシーズニングが効果的である。
【００２６】
（発明９）：発明９に係る印刷物のシーズニング装置は、発明８に記載の印刷物のシーズニング装置において、前記インクは、熱可塑性樹脂と色材とを含んだインクであることを特徴とする。
【００２７】
熱可塑性樹脂を含んだインクを用いた印刷物は印刷後に加熱定着が行われる。この加熱工程で樹脂の皮膜化が進行し、画像強度（堅牢性）が向上する。
【００２８】
（発明１０）：発明１０に係る印刷物のシーズニング装置は、発明８に記載の印刷物のシーズニング装置において、前記インクは、活性光線硬化性樹脂と色材とを含んだインクであることを特徴とする。
【００２９】
発明９の熱可塑性樹脂に代えて、活性光線硬化性樹脂（例えば、紫外線により硬化するＵＶ硬化モノマーなど）を含有させてもよい。この場合、印刷後の画像に活性光線（例えば、紫外線）を照射することにより、樹脂を硬化重合させ画像強度を向上できる。
【００３０】
（発明１１）：発明１１に係る印刷システムは、給紙される用紙の少なくとも片面にインクを付与して印刷を行う印刷装置と、発明１乃至１０のいずれか１項に記載の印刷物のシーズニング装置と、を備えた印刷システムであって、前記印刷装置によって印刷された複数枚の印刷物が前記シーズニング装置の前記用紙保持部に保持され、当該印刷物の束が前記シーズニング装置によりシーズニングされることを特徴とする。
【００３１】
発明１〜１０に係るシーズニング装置は、印刷機と別体の装置として構成されてもよいし、印刷機と組み合わせて印刷システムの一部として組み込まれても良い。
【００３２】
（発明１２）：発明１２に係る印刷物のシーズニング方法は、少なくとも用紙の片面にインクが付与された複数枚の印刷物に曲率を与えるとともに、その曲率に応じた曲線を成す用紙の一辺を下端として当該印刷物を縦置き状態の姿勢で保持し、前記縦置き状態の姿勢で保持された前記印刷物の束の端面から風を当て、用紙間にエアを供給することによりシーズニングを行うことを特徴とする。
【発明の効果】
【００３３】
本発明によれば、複数枚の印刷物の用紙間の隙間を確保しつつ、用紙の姿勢を安定させ、用紙間に効率的に風を通すことができるため、印刷物の束をまとめて、短時間で均一にシーズニングすることができる。
【図面の簡単な説明】
【００３４】
【図１】本発明の実施形態に係るシーズニング装置の斜視図
【図２】図１中の用紙保持部を上から見た図
【図３】用紙保持部が回動する様子を示した説明図
【図４】図１中の送風装置の上面図
【図５】送風装置を構成しているファンユニットの斜視図
【図６】本実施形態に係るシーズニング装置の制御系の構成を示すブロック図
【図７】本実施形態に係るシーズニング装置のシーズニング性能を示したグラフ
【図８】他の実施形態を示す要部構成図
【図９】本例のシーズニング装置とインクジェット印刷機とを組み合わせた印刷システムの構成図
【発明を実施するための形態】
【００３５】
以下、添付図面に従って本発明の実施形態について詳細に説明する。
【００３６】
図１は本発明の実施形態に係るシーズニング装置の斜視図である。本例のシーズニング装置１０は、印刷後の用紙１２（「印刷物」に相当）の束を縦置き状態で保持する用紙保持部１４（「用紙保持手段」に相当）と、この用紙保持部１４の用紙置き空間１６に下方から風を送る送風装置１８（「送風手段」、「第１の送風手段」に相当）と、を備える。用紙置き空間１６に置かれる用紙１２は、図示せぬ印刷機（例えば、インクジェット記録装置）によって、少なくとも片面にインクが付与された印刷物である。用紙保持部１４は、用紙１２を湾曲させた姿勢に規制する円弧状の凹曲面２２（「第１壁面」に相当）を有するブロック２４（「第１壁面部材」に相当）と、この凹曲面２２に対向して配置される押え板２６（「第２壁面部材」に相当）とを備える。ブロック２４の凹曲面２２と、これに対向する押え板２６の凹曲面２８（「第２壁面」に相当）との間に、用紙１２の束が置かれる空間（「用紙置き空間」）１６が形成される。また、本例の用紙保持部１４は、用紙置き空間１６の側面を覆う側面板３１、３２を備える。
【００３７】
図２は用紙保持部１４を上から見た図である。なお、図２では図示の便宜上、用紙１２の記載を省略した。用紙保持部１４の底面には、用紙１２の下辺を支持しつつ、送風装置１８からの風を通すことができるように、開口３４が形成された底板３６が設けられている。底板３６における開口３４の大きさ（開口サイズ）と開口率は、底板３６が用紙１２の束を支えるために必要な底板３６の強度及び形状、並びに、送風に必要な風量・風圧等を確保する観点から適宜設計される。図２に示した格子状の底板３６に代えて、メッシュ状の板などでもよい。
【００３８】
押え板２６は、図示せぬ移動機構（図６中の符号５６）を含む位置調節手段によって、用紙１２の重ね方向（図２における矢印Ａ方向）に移動可能である。用紙１２の枚数に応じて押え板２６の位置が調整され、処理枚数に適した適切な広さの用紙置き空間１６が形成される。押え板２６は、用紙１２と対面する面がブロック２４の凹曲面２２と反対側に湾曲した円弧状の凹曲面２８となっている。このため、図２のように上から見たとき、ブロック２４の凹曲面２２と押え板２６の凹曲面２８とで挟まれる用紙置き空間１６は中央部分が膨らんだ形状である。
【００３９】
なお、ブロック２４の凹曲面２２の曲率と、押え板２６の凹曲面２８の曲率は、用紙１２の縦置き姿勢を安定的に維持しつつ、各用紙間に必要な隙間を形成する観点から、それぞれの曲率が適宜設計される。
【００４０】
かかる形態によれば、用紙１２の中央部について用紙間に十分な隙間を確保することができる。また、用紙１２の左右両端部について、紙束の厚み方向の領域が規制されているため、用紙１２の姿勢の崩れを防止することができる。
【００４１】
また、この用紙保持部１４は、不図示の回動機構（「可動機構」に相当、図６中の符号５０）に支持されており、図３に示すように、ブロック２４の凹曲面２２を上に向けた姿勢から、凹曲面２２を起立させた姿勢（図１参照）へとブロック２４を移動させることができる。もちろん、図１に示した姿勢（凹曲面２２を起立させた姿勢）から図３の姿勢（凹曲面２２を上に向けた姿勢）に戻すこともできる。なお、図３では図示の便宜上、側面板３１、３２の記載を省略した。
【００４２】
なお、本例では用紙保持部１４を９０度回動させる機構を採用した例を説明したが、「可動機構」としては、回動機構のみに限らず、回動機構と水平移動機構とを組み合わせた多軸の機構を採用してもよい。
【００４３】
図３のように凹曲面２２を上に向けた姿勢のブロック２４は、印刷後の用紙１２の束（符号１３）を載置する載置台を兼ねることができる。本例のシーズニング装置１０において、印刷後の用紙１２の束１３を用紙保持部１４にセットするときには、図３のように、ブロック２４の凹曲面２２を上に向けた姿勢とし、この凹曲面２２上に用紙１２を重ねる。そして、所定枚数の用紙１２を積載した後、上から押え板２６で蓋をする。その後、ブロック２４、押え板２６及びこれらの間に挟まれた用紙１２を含んだ用紙保持部１４を、図３の矢印Ｂ方向に９０度回動させる。これにより、図１に示すように、用紙１２を縦置き状態で保持する姿勢となる。
【００４４】
このように用紙保持部１４を起立させる回動動作のときに、送風装置１８の送風口４２から風を送りながら用紙保持部１４を起立させる駆動を行うことが好ましい。例えば、ブロック２４を図３の状態から徐々に傾け、水平面に対して所定の傾斜角度（例えば、３０度）になったところで送風装置１８から送風を開始し、送風しながらブロック２４を９０度まで回動させる。これにより、用紙１２間に適度な隙間を確保しつつ、用紙１２の束を縦置き状態で自立させる。その後、送風装置１８から所定時間連続的に、又は間欠的に、送風を行い、用紙１２のシーズニングを行う。
【００４５】
図４は送風装置１８の上面図、図５は送風装置１８を構成するファンユニット４０の斜視図である。これらの図面に示したように、送風装置１８は、上面に送風口４２を有するファンユニット４０を複数列並べた構成（一例として、３列の場合を図示）となっている。各ファンユニット４０は、送風口４２を形成したカバー４４の下に複数個のファン４６を並べた構成（一例として、３個のファン４６を並べた場合を図示）となっている。ファンユニット４０を構成するファン４６の個数、各ファン４６の仕様、送風口４２の大きさや形状などは、必要な送風量と圧力が得られるよう適宜設計される。
【００４６】
送風装置１８は、風を送り出す面において送風口４２以外の部分（図４において符号４８で示す領域）がカバー４４によって密閉されているため、送風口４２から強い風を送り出すことができる。このような構成により、用紙保持部１４に保持されている全ての用紙に概ね均等に風を当てることができる。
【００４７】
また、用紙１２内における水分量の均一化を目的とする本例のシーズニング装置１０では、過乾燥を防止する観点から、送風装置１８は周囲空気を送風する（周囲環境の温度及び湿度の風を送る）ことが好ましい。仮に、ヒーターなどによって加熱された空気や、圧縮空気、ドライエアなどを送風する手段を採用すると、用紙１２内において多量にインクが付与されている領域については短時間の乾燥が可能となる一方で、用紙１２内における非インク付与部やインク量が非常に少ない領域については過度な乾燥状態となる。このような水分量の差によって用紙の伸縮（変形）が生じる可能性があるため、環境温湿度の空気とは異なる温湿度の温風や圧縮空気などを送風する手段を採用することは、好ましい形態ではない。
【００４８】
この点、本例の送風装置１８は、周囲環境の温湿度の空気をファン４６で送り出す（送風する）だけの構成であり、ヒーター等の加熱手段や除湿手段など、温湿度を制御・調整する手段は設けられていない。
【００４９】
このように、送風装置１８によって、周囲環境の空気（エア）を送り、用紙間に環境温湿度の空気を吹き込むことにより、用紙内の湿っている部分は乾燥させる一方、乾いている部分は湿らせて用紙内部の水分量を平均化して均す（環境温湿度に近づける）ことができる。
【００５０】
図６は、本実施形態に係るシーズニング装置１０の制御系の構成を示すブロック図である。図６のように、本例のシーズニング装置１０は、ブロック２４の回動機構５０を駆動するためのモータ５２（「駆動手段」に相当）と、該モータ５２の駆動回路５４と、押え板２６の移動機構５６を駆動するためのモータ５８と、該モータ５８の駆動回路６０と、送風装置１８のファン４６を駆動するための駆動回路６２と、各駆動回路（５４，６０，６２）を制御する制御部（「制御手段」に相当）６４と、を備える。
【００５１】
制御部６４は、例えば、中央演算処理装置（ＣＰＵ）及びその周辺回路から構成され、所定のプログラムにしたがって各駆動回路（５４，６０，６２）に制御信号を与え、モータ５２，５８やファン４６の動作を制御する。
【００５２】
上記のごとく構成されたシーズニング装置１０によれば、ブロック２４の凹曲面２２によって用紙１２に曲率を与え、その曲率に応じた曲線を成す用紙１２の一辺（図１において下辺）で用紙１２の自重を支えるように、用紙１２を縦置きに保持したことにより、各用紙１２が自立して姿勢を安定的に保つことができる。また、この縦置き状態の用紙１２間に適度な隙間が確保され、用紙１２の下端から風を送ることにより、用紙１２間に略均等に風を送ることができる。これにより、用紙の一枚毎に、紙面全体にわたって風が通り、用紙１２の束を短時間で均一にシーズニングすることができる。
【００５３】
図７は、本実施形態におけるシーズニング性能を調べたグラフである。横軸はシーズニングを行った時間（単位は［分］）、縦軸は用紙の中央部分における画像部（インクが付与されている領域）の残水量（単位は１平方メートル当たりのグラム数［ｇ／ｍ２］）を表している。２００枚の印刷済み用紙をセットした場合と、５００枚の印刷済み用紙をセットした場合について図示した。
【００５４】
図７によれば、２００枚の束の場合、約１０分間程度のシーズニング時間で足りることがわかる。また、５００枚の場合でも約１５分程度のシーズニング時間で足りることがわかる。
【００５５】
＜他の実施形態１＞
図１〜図５で説明したシーズニング装置１０における用紙保持部１４に代えて、図８（ａ），（ｂ）に示すような形態の用紙保持部７０、８０を採用することも可能である。
【００５６】
図８（ａ），（ｂ）は用紙保持部７０、８０を上から見た図である。図８中、図１〜６で示した構成と同一又は類似の要素には同一の符号を付し、その説明は省略する。
【００５７】
図８（ａ）に示した用紙保持部７０は、図１等で説明した押え板２６に代えて、ブロック２４の凹曲面２２と同方向に湾曲した円弧状の凸曲面７８（「第２壁面」に相当）を有する押え板７６（「第２壁面部材」に相当）を備える。
【００５８】
図８（ａ）における押え板７６の凸曲面７８の曲率とブロック２４の凹曲面２２の曲率はそれぞれ適宜の設計が可能であるが、用紙幅方向に渡って用紙間に均一な隙間を形成する観点を重視する場合、両者の曲率を同等とする構成が好ましい。
【００５９】
＜他の実施形態２＞
図８（ｂ）に示した用紙保持部８０は、図１等で説明したブロック２４及び押え板２６に代えて、断面（用紙面と直交する平面で切断した場合の断面）がＶ字状の面８２（「第１壁面」に相当、以下「Ｖ字面」という。）を有するブロック８４と、該ブロック８４のＶ字面８２と同方向にＶ字形の凸状の面８８（「第２壁面」に相当）を有する押え板８６とを備える。
【００６０】
このような形態によれば、用紙１２には相応の曲率が与えられ、用紙１２の束を縦置き状態で安定して保持することができる。なお、図８（ｂ）におけるブロック８４のＶ字面８２の開き角度と、押え板８６の面８８の開き角度は、それぞれ適宜の設計が可能であるが、用紙幅方向に渡って用紙の姿勢を安定させる観点を重視する場合、両者の角度を同等とする構成が好ましい。
【００６１】
＜他の実施形態３＞
図１〜８では、用紙保持部１４の下方に送風装置１８を設置し、用紙１２の束の下端側から送風する構成を例示したが、かかる構成と組み合わせて、用紙保持部１４の上方にも送風装置（「第２の送風手段」に相当）を設置する形態も可能である。
【００６２】
この場合、用紙保持部１４の上部に配置される送風装置（「第２の送風手段」に相当）は、図４及び図５で説明した送風装置１８の送風口４２を下方に向けた構成を採用することができる。
【００６３】
また、このように用紙保持部１４の上下両方から風を当てる形態の場合には、風の逃げ道を確保するために、用紙保持部１４の側面板３１、３２（図１参照）を取り外した構成とすることが好ましい。
【００６４】
このような形態によれば、一層均一なシーズニングが可能であり、シーズニング時間の更なる短縮も可能である。
【００６５】
＜他の実施形態４＞
図１〜８で説明したシーズニング装置１０において、更に、用紙保持部１４において縦置き状態で保持した用紙１２に振動を与える加振手段を設ける態様も好ましい。例えば、シーズニング中（送風中）に加振手段によって、水平面方向（底板３６の面方向）に振動を与えることにより、用紙１２に対して風の当たる位置が振動で揺らぐため、用紙１２面に対して均一に風を当てることができる。
【００６６】
＜シーズニングを実施するタイミングについて＞
シーズニングを実施するタイミングとしては、特に限定されないが、例えば、以下のタイミングで実施する。
【００６７】
（１）片面印刷のみを行う場合に、当該片面の印刷後にシーズニングを実施する。
【００６８】
（２）両面印刷を行う場合に、表面の印刷後、裏面印刷の前にシーズニングを実施する。
【００６９】
（３）両面印刷を行う場合に、（２）の場合に加えて、裏面印刷後にもシーズニングを実施する。
【００７０】
＜インクジェット印刷システムへの適用例＞
図１〜８で説明したシーズニング装置１０をインクジェット印刷機と組み合わせた印刷システムに適用する例を説明する。
【００７１】
図９は、本発明の実施形態に係るインクジェット記録装置の構成例を示す図である。このインクジェット記録装置１００は、描画部１１６の圧胴（描画ドラム１７０）に保持された記録媒体１２４（便宜上「用紙」と呼ぶ場合がある。）にインクジェットヘッド１７２Ｍ，１７２Ｋ，１７２Ｃ，１７２Ｙから複数色のインクを打滴して所望のカラー画像を形成する圧胴直描方式のインクジェット記録装置であり、インクの打滴前に記録媒体１２４上に処理液（ここでは凝集処理液）を付与し、処理液とインク液を反応させて記録媒体１２４上に画像形成を行う２液反応（凝集）方式が適用されたオンデマンドタイプの画像形成装置である。
【００７２】
図示のように、インクジェット記録装置１００は、主として、給紙部１１２、処理液付与部１１４、描画部１１６、乾燥部１１８、定着部１２０、及び排紙部１２２を備えて構成される。
【００７３】
図１〜８で説明したシーズニング装置１０は、排紙部１２２の排出トレイ１９２の部分に設置される（図９参照）。
【００７４】
（給紙部）
給紙部１１２は、記録媒体１２４を処理液付与部１１４に供給する機構であり、当該給紙部１１２には、枚葉紙である記録媒体１２４が積層されている。給紙部１１２には、給紙トレイ１５０が設けられ、この給紙トレイ１５０から記録媒体１２４が一枚ずつ処理液付与部１１４に給紙される。
【００７５】
本例のインクジェット記録装置１００では、記録媒体１２４として、紙種や大きさ（用紙サイズ）の異なる複数種類の記録媒体１２４を使用することができる。給紙部１１２において各種の記録媒体をそれぞれ区別して集積する複数の用紙トレイ（不図示）を備え、これら複数の用紙トレイの中から給紙トレイ１５０に送る用紙を自動で切り換える態様も可能であるし、必要に応じてオペレータが用紙トレイを選択し、若しくは交換する態様も可能である。なお、本例では、記録媒体１２４として、枚葉紙（カット紙）を用いるが、連続用紙（ロール紙）から必要なサイズに切断して給紙する構成も可能である。
【００７６】
（処理液付与部）
処理液付与部１１４は、記録媒体１２４の記録面に処理液を付与する機構である。処理液は、描画部１１６で付与されるインク中の色材（本例では顔料）を凝集させる色材凝集剤を含んでおり、この処理液とインクとが接触することによって、インクは色材と溶媒との分離が促進される。
【００７７】
図９に示すように、処理液付与部１１４は、給紙胴１５２、処理液ドラム１５４、及び処理液塗布装置１５６を備えている。処理液ドラム１５４は、記録媒体１２４を保持し、回転搬送させるドラムである。処理液ドラム１５４は、その外周面に爪形状の保持手段（グリッパー）１５５を備え、この保持手段１５５の爪と処理液ドラム１５４の周面の間に記録媒体１２４を挟み込むことによって記録媒体１２４の先端を保持できるようになっている。処理液ドラム１５４は、その外周面に吸引孔を設けるとともに、吸引孔から吸引を行う吸引手段を接続してもよい。これにより記録媒体１２４を処理液ドラム１５４の周面に密着保持することができる。
【００７８】
処理液ドラム１５４の外側には、その周面に対向して処理液塗布装置１５６が設けられる。処理液塗布装置１５６は、処理液が貯留された処理液容器と、この処理液容器の処理液に一部が浸漬されたアニックスローラと、アニックスローラと処理液ドラム１５４上の記録媒体１２４に圧接されて計量後の処理液を記録媒体１２４に転移するゴムローラとで構成される。この処理液塗布装置１５６によれば、処理液を計量しながら記録媒体１２４に塗布することができる。
【００７９】
本実施形態では、ローラによる塗布方式を適用した構成を例示したが、これに限定されず、例えば、スプレー方式、インクジェット方式などの各種方式を適用することも可能である。
【００８０】
処理液付与部１１４で処理液が付与された記録媒体１２４は、処理液ドラム１５４から中間搬送部１２６を介して描画部１１６の描画ドラム１７０へ受け渡される。
【００８１】
（描画部）
描画部１１６は、描画ドラム１７０、用紙抑えローラ１７４、及びインクジェットヘッド１７２Ｍ，１７２Ｋ，１７２Ｃ，１７２Ｙを備えている。描画ドラム１７０は、処理液ドラム１５４と同様に、その外周面に爪形状の保持手段（グリッパー）１７１を備える。描画ドラム１７０に固定された記録媒体１２４は、記録面が外側を向くようにして搬送され、この記録面にインクジェットヘッド１７２Ｍ，１７２Ｋ，１７２Ｃ，１７２Ｙからインクが付与される。
【００８２】
インクジェットヘッド１７２Ｍ，１７２Ｋ，１７２Ｃ，１７２Ｙはそれぞれ、記録媒体１２４における画像形成領域の最大幅に対応する長さを有するフルライン型のインクジェット方式の記録ヘッド（インクジェットヘッド）であり、そのインク吐出面には、画像形成領域の全幅にわたってインク吐出用のノズルが複数配列されたノズル列が形成されている。各インクジェットヘッド１７２Ｍ，１７２Ｋ，１７２Ｃ，１７２Ｙは、記録媒体１２４の搬送方向（描画ドラム１７０の回転方向）と直交する方向に延在するように設置される。
【００８３】
描画ドラム１７０上に密着保持された記録媒体１２４の記録面に向かって各インクジェットヘッド１７２Ｍ，１７２Ｋ，１７２Ｃ，１７２Ｙから、対応する色インクの液滴が吐出されることにより、処理液付与部１１４で予め記録面に付与された処理液にインクが接触し、インク中に分散する色材（顔料）が凝集され、色材凝集体が形成される。これにより、記録媒体１２４上での色材流れなどが防止され、記録媒体１２４の記録面に画像が形成される。
【００８４】
なお、本例では、ＣＭＹＫの標準色（４色）の構成を例示したが、インク色や色数の組合せについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００８５】
描画部１１６で画像が形成された記録媒体１２４は、描画ドラム１７０から中間搬送部１２８を介して乾燥部１１８の乾燥ドラム１７６へ受け渡される。
【００８６】
（乾燥部）
乾燥部１１８は、色材凝集作用により分離された溶媒に含まれる水分を乾燥させる機構であり、図９に示すように、乾燥ドラム１７６、及び溶媒乾燥装置１７８を備えている。
【００８７】
乾燥ドラム１７６は、処理液ドラム１５４と同様に、その外周面に爪形状の保持手段（グリッパー）１７７を備え、この保持手段１７７によって記録媒体１２４の先端を保持できるようになっている。
【００８８】
溶媒乾燥装置１７８は、乾燥ドラム１７６の外周面に対向する位置に配置され、複数のハロゲンヒータ１８０と、各ハロゲンヒータ１８０の間にそれぞれ配置された温風噴出しノズル１８２とで構成される。
【００８９】
各温風噴出しノズル１８２から記録媒体１２４に向けて吹き付けられる温風の温度と風量、各ハロゲンヒータ１８０の温度を適宜調節することにより、様々な乾燥条件を実現することができる。
【００９０】
また、乾燥ドラム１７６の表面温度は５０℃以上に設定されている。記録媒体１２４の裏面から加熱を行うことによって乾燥が促進され、定着時における画像破壊を防止することができる。なお、乾燥ドラム１７６の表面温度の上限については、特に限定されるものではないが、乾燥ドラム１７６の表面に付着したインクをクリーニングするなどのメンテナンス作業の安全性（高温による火傷防止）の観点から７５度以下（より好ましくは６０℃以下）に設定されることが好ましい。
【００９１】
乾燥ドラム１７６の外周面に、記録媒体１２４の記録面が外側を向くように（即ち、記録媒体１２４の記録面が凸側となるように湾曲させた状態で）保持し、回転搬送しながら乾燥することで、記録媒体１２４のシワや浮きの発生を防止でき、これらに起因する乾燥ムラを確実に防止することができる。
【００９２】
乾燥部１１８で乾燥処理が行われた記録媒体１２４は、乾燥ドラム１７６から中間搬送部１３０を介して定着部１２０の定着ドラム１８４へ受け渡される。
【００９３】
（定着部）
定着部１２０は、定着ドラム１８４、ハロゲンヒータ１８６、定着ローラ１８８、及びインラインセンサ１９０で構成される。定着ドラム１８４は、処理液ドラム１５４と同様に、その外周面に爪形状の保持手段（グリッパー）１８５を備え、この保持手段１８５によって記録媒体１２４の先端を保持できるようになっている。
【００９４】
定着ドラム１８４の回転により、記録媒体１２４は記録面が外側を向くようにして搬送され、この記録面に対して、ハロゲンヒータ１８６による予備加熱と、定着ローラ１８８による定着処理と、インラインセンサ１９０による検査が行われる。
【００９５】
ハロゲンヒータ１８６は、所定の温度（例えば、１８０℃）に制御される。これにより、記録媒体１２４の予備加熱が行われる。
【００９６】
定着ローラ１８８は、乾燥させたインクを加熱加圧することによってインク中の自己分散性ポリマー微粒子を溶着し、インクを被膜化させるためのローラ部材であり、記録媒体１２４を加熱加圧するように構成される。具体的には、定着ローラ１８８は、定着ドラム１８４に対して圧接するように配置されており、定着ドラム１８４との間でニップローラを構成するようになっている。これにより、記録媒体１２４は、定着ローラ１８８と定着ドラム１８４との間に挟まれ、所定のニップ圧（例えば、０．１５ＭＰａ）でニップされ、定着処理が行われる。
【００９７】
また、定着ローラ１８８は、熱伝導性の良いアルミなどの金属パイプ内にハロゲンランプを組み込んだ加熱ローラによって構成され、所定の温度（たとえば６０〜８０℃）に制御される。この加熱ローラで記録媒体１２４を加熱することによって、インクに含まれるラテックスのＴｇ温度（ガラス転移点温度）以上の熱エネルギーが付与され、ラテックス粒子が溶融される。これにより、記録媒体１２４の凹凸に押し込み定着が行われるとともに、画像表面の凹凸がレベリングされ、光沢性が得られる。
【００９８】
なお、図９の実施形態では、定着ローラ１８８を１つだけ設けた構成となっているが、画像層厚みやラテックス粒子のＴｇ特性に応じて、複数段設けた構成でもよい。
【００９９】
一方、インラインセンサ１９０は、記録媒体１２４に定着された画像について、チェックパターンや水分量、表面温度、光沢度などを計測するための計測手段であり、ＣＣＤラインセンサなどが適用される。
【０１００】
上記の如く構成された定着部１２０によれば、乾燥部１１８で形成された薄層の画像層内のラテックス粒子が定着ローラ１８８によって加熱加圧されて溶融されるので、記録媒体１２４に固定定着させることができる。また、定着ドラム１８４の表面温度は５０℃以上に設定されている。定着ドラム１８４の外周面に保持された記録媒体１２４を裏面から加熱することによって乾燥が促進され、定着時における画像破壊を防止することができるとともに、画像温度の昇温効果によって画像強度を高めることができる。
【０１０１】
なお、熱可塑性樹脂粒子を含んだインクに代えて、ＵＶ硬化性樹脂などの活性光線硬化性樹脂を含んだインクを用いる場合には、加熱定着の定着ローラ１８８に代えて、ＵＶランプや紫外線ＬＤ（レーザダイオード）アレイなど、活性光線を照射する手段が設けられる。
【０１０２】
（排紙部）
図９に示すように、定着部１２０に続いて排紙部１２２が設けられている。排紙部１２２は、排出トレイ１９２を備えており、この排出トレイ１９２と定着部２０の定着ドラム１８４との間に、これらに対接するように渡し胴１９４、搬送ベルト１９６、張架ローラ１９８が設けられている。記録媒体１２４は、渡し胴１９４により搬送ベルト１９６に送られ、排出トレイ１９２に排出される。
【０１０３】
この排出トレイ１９２として、図１〜８で説明したシーズニング装置１０が採用され、図３で説明したように、印刷後の用紙（印刷物）を積載する載置台としての機能とシーズニング機としての機能を兼ねる。
【０１０４】
また、図９には示されていないが、本例のインクジェット記録装置１００には、上記構成の他、各インクジェットヘッド１７２Ｍ，１７２Ｋ，１７２Ｃ，１７２Ｙにインクを供給するインク貯蔵／装填部、処理液付与部１１４に対して処理液を供給する手段を備えるとともに、各インクジェットヘッド１７２Ｍ，１７２Ｋ，１７２Ｃ，１７２Ｙのクリーニング（ノズル面のワイピング、パージ、ノズル吸引等）を行うヘッドメンテナンス部や、用紙搬送路上における記録媒体１２４の位置を検出する位置検出センサ、装置各部の温度を検出する温度センサなどを備えている。
【０１０５】
（両面印刷への対応）
両面印刷を行う場合には、図９のインクジェット記録装置１００において、用紙の片面（表面）が印刷された後にシーズニング装置１０で所定時間のシーズニングを行う。そして、シーズニング処理された用紙の束を給紙部１１２に戻して、裏面の印刷を行う。
【０１０６】
これにより、表裏レジずれなどが発生せず、短時間で良好な両面印刷を実現できる。
【０１０７】
また、図９に示したインクジェット記録装置１００において、排出トレイ１９２に用いるシーズニング装置１０を複数台備えるとともに、各シーズニング装置１０を排紙部１２２と給紙部１１２との間で移動できる構成とする。
【０１０８】
例えば、各シーズニング装置１０にキャスターを設けて走行できる構成を採用してもよいし、レールに載せて走行させる構成を採用してもよい。
【０１０９】
そして、１台目のシーズニング装置が印刷物の束をシーズニングしている期間中、別の（２台目の）シーズニング装置が排紙部１２２にセットされ、新たに印刷出力されてくる印刷物を受け止める。１台目のシーズニング装置でシーズニングが終わった用紙の束は給紙部１１２に供給される。
【０１１０】
２台目のシーズニング装置に規定枚数の印刷物が集積されたら、当該２台目のシーズニング装置が排紙部１２２から退避してシーズニングを開始する。そして、３台目のシーズニング装置、または、空になった１台目のシーズニング装置が排紙部１２２にセットされ、印刷が続けられる。このように、複数台のシーズニング装置を輪番で使用するシステムを構成することにより、自動化を実現できるとともに、大量の印刷物を効率良く生産することができる。
【０１１１】
＜インクについて＞
本発明の実施に用いられるインクは、水を溶媒として含んだ水性インクであり、例えば、溶媒不溶性材料として、色材（着色剤）である顔料やポリマー微粒子などを含有する水性顔料インクが用いられる。
【０１１２】
溶媒不溶性材料の濃度は、吐出に適切な粘度２０ｍＰａ・ｓ以下を考慮して１ｗｔ％以上２０ｗｔ％以下であることが好ましい。より好ましくは画像の光学濃度を得るために４ｗｔ％以上の顔料濃度である。
【０１１３】
インクの表面張力は、吐出安定性を考慮して２０ｍＮ／ｍ以上４０ｍＮ／ｍ以下であることが好ましい。
【０１１４】
インクに使用される色材は、顔料あるいは染料と顔料とを混合して用いることができる。処理液との接触時における凝集性の観点から、インク中で分散状態にある顔料の方がより効果的に凝集するため好ましい。顔料の中でも、分散剤により分散されている顔料、自己分散顔料、樹脂により顔料表面を被覆された顔料（マイクロカプセル顔料）、及び高分子グラフト顔料が特に好ましい。また、顔料凝集性の観点から、解離度の小さいカルボキシル基によって修飾されている形態がより好ましい。
【０１１５】
本発明に用いる着色インク液には、処理液と反応する成分として、着色剤を含まないポリマー微粒子を添加することが好ましい。ポリマー微粒子は、処理液との反応によりインクの増粘作用、凝集作用を強め、画像品位の向上させることができる。特に、アニオン性のポリマー微粒子をインクに含有せしめることにより、安全性の高いインクが得られる。
【０１１６】
処理液と反応して、増粘・凝集作用を起こすポリマー微粒子をインクに用いることにより、画像の品位を高めることができると同時に、ポリマー微粒子の種類によっては、ポリマー微粒子が記録媒体で皮膜を形成し、画像の耐擦性、耐水性をも向上させる効果を有する。
【０１１７】
ポリマーインクでの分散方法はエマルジョンに限定するものではなく、溶解していても、コロイダルディスパージョン状態で存在していてもよい。
【０１１８】
ポリマー微粒子は、乳化剤を用いてポリマー微粒子を分散させたものであっても、また、乳化剤を用いないで分散させたものであってもよい。乳化剤としては、通常、低分子量の界面活性剤が用いられているが、高分子量の界面活性剤を乳化剤として用いることもできる。外殻がアクリル酸、メタクリル酸などにより構成されたカプセル型のポリマー微粒子（粒子の中心部と外縁部で組成を異にしたコア・シェルタイプのポリマー微粒子）を用いることも好ましい。
【０１１９】
インクにポリマー微粒子として添加する樹脂成分としては、アクリル系樹脂、酢酸ビニル系樹脂、スチレン−ブタジエン系樹脂、塩化ビニル系樹脂、アクリル−スチレン系樹脂、ブタジエン系樹脂、スチレン系樹脂などが挙げられる。
【０１２０】
ポリマー微粒子への高速凝集性付与の観点から、解離度の小さいカルボン酸基を有するものがより好ましい。カルボン酸基はｐＨ変化によって影響を受けやすいので、分散状態が変化しやすく、凝集性が高い。
【０１２１】
ポリマー微粒子のｐＨ変化に対する分散状態の変化は、アクリル酸エステルなどのカルボン酸基を有する、ポリマー微粒子中の構成成分の含有割合によって調整することができ、分散剤として用いるアニオン性の界面活性剤によっても調整可能である。
【０１２２】
ポリマー微粒子の樹脂成分は、親水性部分と疎水性部分とを併せ持つ重合体であるのが好ましい。疎水性部分を有することで、ポリマー微粒子の内側に疎水部分が配向し、外側に親水部分が効率よく外側に配向され、液体のｐＨ変化に対する分散状態の変化がより大きくなる効果があり、凝集がより効率よく行われる。
【０１２３】
また、ポリマー微粒子を、インク内に２種以上混合して含有させて使用してもよい。
【０１２４】
本発明のインクに添加するｐＨ調整剤としては中和剤として、有機塩基、無機アルカリ塩基を用いることができる。ｐＨ調整剤はインクジェット用インクの保存安定性を向上させる目的で、該インクジェット用インクがｐＨ６〜１０となるように添加するのが好ましい。
【０１２５】
本発明のインクは、乾燥によってインクジェットヘッドのノズルが詰まるのを防止する目的から、水溶性有機溶媒を含有することが好ましい。このような水溶性有機溶媒には、湿潤剤及び浸透剤が含まれる。
【０１２６】
水溶性有機溶媒としては、処理液の場合と同様に、例えば、多価アルコール類、多価アルコール類誘導体、含窒素溶媒、アルコール類、含硫黄溶媒等が挙げられる。
【０１２７】
その他必要に応じ、界面活性剤、ｐＨ緩衝剤、酸化防止剤、防カビ剤、粘度調整剤、導電剤、紫外線吸収剤、等も添加することができる。
【０１２８】
また、インク中に熱可塑性樹脂微粒子を含有させることもできる。熱可塑性樹脂を含有させることで、加熱する過程で、皮膜化が進行し画像強度を向上させることができる。熱可塑性樹脂を含有させた場合、乾燥での加熱プロセスに加え、画像を加熱加圧する定着工程を行うことがより効果的である。
【０１２９】
また、インク中にＵＶ硬化性モノマーを含有させることで、乾燥部で水分を充分に揮発させた後に、ＵＶ照射ランプ等を備えた定着部で、画像にＵＶを照射することで、ＵＶ硬化性モノマーを硬化重合させ、画像強度を向上させることができる。
【０１３０】
＜処理液について＞
本発明の実施に際して用いる処理液（凝集処理液）として、インクのｐＨを変化させることにより、インクに含有される顔料およびポリマー微粒子を凝集させ、凝集物を生じさせるような処理液が好ましい。
【０１３１】
処理液の成分として、ポリアクリル酸、酢酸、グリコール酸、マロン酸、リンゴ酸、マレイン酸、アスコルビン酸、コハク酸、グルタル酸、フマル酸、クエン酸、酒石酸、乳酸、スルホン酸、オルトリン酸、ピロリドンカルボン酸、ピロンカルボン酸、ピロールカルボン酸、フランカルボン酸、ビリジンカルボン酸、クマリン酸、チオフェンカルボン酸、ニコチン酸、若しくはこれらの化合物の誘導体、又はこれらの塩等の中から選ばれることが好ましい。
【０１３２】
また、処理液の好ましい例として、多価金属塩あるいはポリアリルアミンを添加した処理液を挙げることができる。これらの化合物は、１種類で使用されてもよく、２種類以上併用されてもよい。
【０１３３】
処理液はインクとのｐＨ凝集性能の観点からｐＨは１〜６であることが好ましく、ｐＨは２〜５であることがより好ましく、ｐＨは３〜５であることが特に好ましい。
【０１３４】
また、処理液は、乾燥によってインクジェットヘッドのノズルが詰まるのを防止する目的から、水、その他添加剤溶性有機溶媒を含有することが好ましい。このような水、その他添加剤溶性有機溶媒には、湿潤剤及び浸透剤が含まれる。これらの溶媒は、水,その他添加剤と共に単独若しくは複数を混合して用いることができる。
【０１３５】
処理液には、定着性および耐擦性を向上させるため、樹脂成分を更に含有してもよい。樹脂成分は、処理液をインクジェット方式によって打滴する場合ヘッドからの吐出性を損なわないもの、保存安定性があるものであればよく、水溶性樹脂や樹脂エマルジョンなどを自由に用いることができる。
【０１３６】
その他必要に応じ、界面活性剤、ｐＨ緩衝剤、酸化防止剤、防カビ剤、粘度調整剤、導電剤、紫外線吸収剤、等も添加することができる。
【符号の説明】
【０１３７】
１０…シーズニング装置、１２…用紙、１３…束、１４…用紙保持部、１８…送風装置、２２…凹曲面、２４…ブロック、２６…押え板、２８…凹曲面、３４…開口、３６…底板、４０…ファンユニット、４２…送風口、６４…制御部
【図１】
2011020808.tif 000003
【図２】
2011020808.tif 000004
【図３】
2011020808.tif 000005
【図４】
2011020808.tif 000006
【図５】
2011020808.tif 000007
【図６】
2011020808.tif 000008
【図７】
2011020808.tif 000009
【図８】
2011020808.tif 000010
【図９】
2011020808.tif 000011